(57)【要約】【課題】移動局から基地局への通信において、通信チャネル上での通信の衝突をできるだけ低減する。【解決手段】移動局は、ＳＩＭカードのユーザクラスを読み出し、ブロードキャストコントロールチャネルを介してアクセス閾値ビットおよびアクセスクラス情報を受信し、アクセス閾値ビットからアクセス閾値を求め、ユーザクラスに関連するアクセスクラス情報に基づいて、移動局が、受信されたアクセス閾値ビットに依存せずにランダムアクセスチャネルにアクセスしても良いか否かを決定するか、あるいはユーザクラスに関連するアクセスクラス情報に基づいて、ランダムアクセスチャネルへアクセスしても良いか否かをアクセス閾値の評価に依存して決定するように構成されている。【選択図】図３ｃ
2010273347.tif 000002
【特許請求の範囲】
【請求項１】
複数のユーザクラス（３５，４０）が区別される移動無線網で作動するための移動局（５，１０，１５，２０）において、
前記移動局（５，１０，１５，２０）は、
ＳＩＭカード（７５）のユーザクラス（３５，４０）を読み出し、
ブロードキャストコントロールチャネル（２５）を介してアクセス閾値ビット（Ｓ３，Ｓ２，Ｓ１，Ｓ０）およびアクセスクラス情報（Ｚ０，Ｚ１，Ｚ２，Ｚ３）を受信し、
前記アクセス閾値ビット（Ｓ３，Ｓ２，Ｓ１，Ｓ０）からアクセス閾値（Ｓ）を求め、
前記ユーザクラス（３５，４０）に関連するアクセスクラス情報（Ｚ０，Ｚ１，Ｚ２，Ｚ３）に基づいて、当該移動局（５，１０，１５，２０）が、受信されたアクセス閾値ビット（Ｓ３，Ｓ２，Ｓ１，Ｓ０）に依存せずにランダムアクセスチャネル（ＲＡＣＨ）にアクセスしても良いか否かを決定するか、あるいは
前記ユーザクラス（３５，４０）に関連するアクセスクラス情報（Ｚ０，Ｚ１，Ｚ２，Ｚ３）に基づいて、ランダムアクセスチャネル（ＲＡＣＨ）へアクセスしても良いか否かをアクセス閾値の評価に依存して決定するように構成されていることを特徴とする移動局。
【請求項２】
複数のユーザクラス（３５，４０）が区別される移動無線網で移動局（５，１０，１５，２０）を作動するための方法であって、
前記移動局（５，１０，１５，２０）にあるＳＩＭカード（７５）のユーザクラス（３５，４０）が読み出され、
前記移動局（５，１０，１５，２０）によってブロードキャストコントロールチャネル（２５）を介してアクセス閾値ビット（Ｓ３，Ｓ２，Ｓ１，Ｓ０）およびアクセスクラス情報（Ｚ０，Ｚ１，Ｚ２，Ｚ３）が受信され、
前記アクセス閾値ビット（Ｓ３，Ｓ２，Ｓ１，Ｓ０）からアクセス閾値（Ｓ）が求められ、
前記ユーザクラス（３５，４０）に関連するアクセスクラス情報（Ｚ０，Ｚ１，Ｚ２，Ｚ３）に基づいて、当該移動局（５，１０，１５，２０）が受信されたアクセス閾値ビット（Ｓ３，Ｓ２，Ｓ１，Ｓ０）に依存せずにランダムアクセスチャネル（ＲＡＣＨ）にアクセスしても良いか否かを決定するか、あるいは
前記ユーザクラス（３５，４０）に関連するアクセスクラス情報（Ｚ０，Ｚ１，Ｚ２，Ｚ３）に基づいて、ランダムアクセスチャネル（ＲＡＣＨ）へアクセスしても良いか否かをアクセス閾値の評価に依存して決定することを特徴とする作動方法。
【発明の詳細な説明】
【技術分野】
【０００１】
本発明は、複数のユーザクラスが区別されている、移動無線網で作動するための移動局および移動局を作動するための方法に関する。
【背景技術】
【０００２】
すでに、遠隔通信網の少なくとも１つの加入者局に対するアクセスコントロール方法が公知である（特許文献１）。ここでは情報信号が少なくとも１つの加入者局に伝送される。
【先行技術文献】
【特許文献】
【０００３】
【特許文献１】ＤＥ１９８３８８３２Ａ１
【発明の概要】
【発明が解決しようとする課題】
【０００４】
移動通信網で作動される多数の移動局は、遠隔通信チャネルを介して基地局に情報を伝送する。その際、種々の移動局からの通信が、通信チャネル上で衝突する危険がある。本発明の課題は、そのような衝突を避け、移動局が基地局と通信できるよう、移動局の通信チャネルへのアクセスが効率的に行えるようにすることである。
【課題を解決するための手段】
【０００５】
本発明の複数のユーザクラスが区別される移動無線網で作動するための移動局は、
ＳＩＭカードのユーザクラスを読み出し、
ブロードキャストコントロールチャネルを介してアクセス閾値ビットおよびアクセスクラス情報を受信し、
前記アクセス閾値ビットからアクセス閾値を求め、
前記ユーザクラスに関連するアクセスクラス情報に基づいて、当該移動局が、受信されたアクセス閾値ビットに依存せずにランダムアクセスチャネル（ＲＡＣＨ）にアクセスしても良いか否かを決定するか、あるいは
前記ユーザクラスに関連するアクセスクラス情報に基づいて、ランダムアクセスチャネル（ＲＡＣＨ）へアクセスしても良いか否かをアクセス閾値の評価に依存して決定するように構成されている。
【０００６】
また、本発明の複数のユーザクラスが区別される移動無線網で移動局を作動するための方法は、
前記移動局にあるＳＩＭカードのユーザクラスが読み出され、
前記移動局によってブロードキャストコントロールチャネルを介してアクセス閾値ビットおよびアクセスクラス情報が受信され、
前記アクセス閾値ビットからアクセス閾値が求められ、
前記ユーザクラスに関連するアクセスクラス情報に基づいて、当該移動局が受信されたアクセス閾値ビットに依存せずにランダムアクセスチャネル（ＲＡＣＨ）にアクセスしても良いか否かを決定するか、あるいは
前記ユーザクラスに関連するアクセスクラス情報に基づいて、ランダムアクセスチャネル（ＲＡＣＨ）へアクセスしても良いか否かをアクセス閾値の評価に依存して決定するように構成されている。
【発明の効果】
【０００７】
独立請求項の構成を有する本発明の方法および移動局はこれに対して、アクセス閾値ビットとアクセスクラス情報が少なくとも１つの移動局に伝送され、移動局でアクセス閾値ビットとアクセスクラス情報とを受信して、アクセス権限を遠隔通信チャネルに、１つまたは複数の移動局に対してランダムに分配することが実現される。このアクセスコントロールは、情報信号を伝送するのに僅かな伝送容量しか必要とせず、種々の移動局からの通信が通信チャネル上で衝突する危険を低減できる。
【図面の簡単な説明】
【０００８】
【図１】図１は遠隔通信網の一部を示す図である。
【図２】図２は本発明の移動局のブロック回路図である。
【図３ａ】図３ａはアクセスを遠隔通信チャネルに割り当てるための第１のビットパターンを示す図である。
【図３ｂ】図３ｂはアクセスを遠隔通信チャネルに割り当てるための第２のビットパターンを示す図である。
【図３ｃ】図３ｃはアクセスを遠隔通信チャネルに割り当てるための第３のビットパターンを示す図である。
【図４ａ】図４ａは本発明の移動局の評価ユニットでの機能に対するフローチャートである。
【図４ｂ】図４ｂは本発明の移動局の評価ユニットでの機能に対するフローチャートである。
【図４ｃ】図４ｃは本発明の移動局の評価ユニットでの機能に対するフローチャートである。
【発明を実施するための形態】
【０００９】
少なくとも１つの移動局の評価ユニットで、アクセス権限データが、少なくとも１つの所定のユーザクラスに対するアクセスクラス情報を備えるアクセス権限情報を含んでいるか否かが検査され、含んでいる場合には、少なくとも１つの移動局が少なくとも１つの所定のユーザクラスに所属することを前提にして、少なくとも１つの移動局の通信チャネルへのアクセスを、当該ユーザクラスに対するアクセスクラス情報に依存して許可する。このようにして、移動局がアクセス閾値を用いたランダム分配に基づき、当該通信チャネルへのアクセスが認められない場合であっても、所定のユーザクラスの移動局自体は遠隔通信チャネルの使用が許可される。このようにして例えば、非常サービスの移動局、例えば警察または消防をこのような所定のユーザクラスに割り当てることができる。このユーザクラスはランダム分配に依存しないで遠隔通信チャネルに優先的にアクセスすることができる。
【００１０】
さらに、少なくとも１つの移動局の評価ユニットで、アクセス権限データが優先情報を優先閾値の形態で含まれるか否かを検査すると有利である。ここで含まれる場合には、少なくとも１つの移動局が優先値を備える優先クラスに所属することが前提にして、優先値が優先閾値と比較され、少なくとも１つの移動局の遠隔通信チャネルへのアクセスが比較結果に依存して、有利には次の条件の下で許可される。すなわち、優先値が優先閾値より大きいかまたは等しいときに許可される。このようにして、当該遠隔通信チャネルへのアクセスに対し偶然的に権限付与された移動局から付加的に別の選択が行われ、比較的に高い優先度を有する移動局がこの遠隔通信チャネルのアクセスに対して優先される。このようにしても、アクセス閾値によるランダム分配に依存していても、非常サービスの移動局、例えば警察または消防を優先することができる。
【００１１】
さらに少なくとも１つの移動局の評価ユニットで、アクセス権限データが移動局サービス情報を含むか否かを検査すると有利である。この移動局サービス情報は、遠隔通信網により提供された遠隔通信サービスに対して、遠隔通信チャネルへのアクセスがこのような遠隔通信サービスの要請に対してイネーブルされているか否かを指示する。上に述べた基準に従いアクセス権限付与されたユーザクラスの各々に対して付加的に、どの遠隔通信サービスを遠隔通信チャネルを介して要求できるかが設定される。このようにしてさらに、情報信号を伝送するための伝送容量を節約することができる。なぜなら、上の基準による種々のアクセス権限付与されたユーザクラスによって種々の遠隔通信サービスが要求され得るのではなく、これら予め選択された移動局の各々に対して単に専用の遠隔通信サービスが、この遠隔通信チャネルを介して要求され得るからである。従って最小のサービス情報を情報信号により伝送すればよい。
【００１２】
さらに有利には、少なくとも１つの移動局の評価ユニットで、アクセス権限データが評価情報を含んでいるか否かを検査する。この評価情報は、アクセス権限データがアクセス閾値を含むか、またはアクセスクラス情報を含むかを指示し、アクセス権限データは検査結果に相応して少なくとも１つの移動局で評価される。このようにして、情報信号の伝送に対して必要な伝送容量をさらに低減することができる。
【００１３】
さらに、少なくとも１つの移動局のこの通信チャネルへのアクセスを、少なくとも１つの通信チャネル上での通信トラフィック発生に依存してイネーブルすると有利である。このようにして、遠隔通信網のリソースを移動局に、伝送容量を効率的に使用しながら最適に割り当てることができる。
【００１４】
本発明の実施例が図面に示されており、以下の説明で詳細に説明する。
【実施例】
【００１５】
図１には１００により、移動無線網として構成された遠隔通信網の基地局が示されている。このような移動無線網は通常はセルラーとして構成され、移動無線網の各無線セルは基地局によりサービスされる。従って基地局１００は移動無線網で無線セルをカバーし、図１ではこの無線セルに第１の移動局５，第２の移動局１０，第３の移動局１５および第４の移動局２０が配置されている。４つの移動局５，１０，１５，２０は例えば携帯電話、無線電話等の移動局とすることができる。
【００１６】
移動無線網のネットワークプロバイダは所定数の遠隔通信サービスを提供する。以下例として、３つの異なる遠隔通信サービスがネットワークプロバイダから提供できるものとする。ここでは第１の遠隔通信サービスとして例えば比較的に小さなデータパケットを送信するためのサービスを設けることができる。このサービスは移動局５，１０，１５，２０により、小さなデータパケットを基地局１００へ自由選択のアクセスチャネル３０を介して伝送するために使用することができる。アクセスチャネルは以下例として、ＲＡＣＨ（Random Access Channel）として構成されるものとする。第２の遠隔通信サービスとして例えば比較的に大きなデータパケットを送信するためのサービスを設けることができる。このサービスでは、ＲＡＣＨ３０を移動局５，１０，１５，２０により使用することができ、音声および／またはデータ伝送を開始または継続することができる。
【００１７】
第３の遠隔通信サービスは、個別におよび／または移動局５，１０，１５，２０の任意の組合せでネットワークプロバイダにより許可することができる。
【００１８】
ここで遠隔通信サービスは相応の移動局により、基地局１０を介してネットワークプロバイダで要求されなければならない。遠隔通信サービスは通常、ＲＡＣＨ３０を介して移動局５，１０，１５，２０により要求されるか、またはアクセスされる。ＲＡＣＨ３０を介して通常は通信が複数の移動局から基地局１００へ送信される。このようにして種々異なる移動局の通信が相互に衝突する。従って基地局１００は正常に受信された通信を確認する。この確認で基地局は、相応の確認または受領情報を図１に図示しない別のチャネル、例えばページングチャネル上で、基地局がその通信を正常に受信した移動局に逆送信する。
【００１９】
移動局の通信がＲＡＣＨ３０上で他の通信と衝突する場合に対しては、この通信は基地局１００で正常に受信されず、従って基地局１００は確認情報を相応の移動局に逆送信することができない。従って移動局は通常、基地局１００からの確認情報が受信されなかった所定の時間後に通信を新たにＲＡＣＨ３０を介して基地局１００へ送信する。このようにして、ＲＡＣＨ３０が過負荷される虞がある。遠隔通信サービスの、相応の移動局によりユーザが開始する要求が伝送容量の制限のために制限される。
【００２０】
ＲＡＣＨ３０の過負荷は次のようにして回避することができる。すなわち、ネットワークプロバイダがＲＡＣＨへのアクセスを個々の移動局５，１０，１５，２０に対して所期のように制限することによって回避することができる。ここでＲＡＣＨへのアクセスは例えば移動局の所定のユーザクラスに対してだけ一時的にまたは持続的に優先して許容される。図１の実施例によれば、第１のユーザクラス３５が設けられており、このユーザクラスは第１の移動局５および第２の移動局１０を含む。さらに第２のユーザクラス４０が設けられており、このユーザクラスは第３の移動局１５と第４の移動局２０を含む。しかし各移動局に対して固有のユーザクラスを設けることもできる。また移動局の数が異なるユーザクラスを設けることもできる。さらに２つ以上の移動局を１つのユーザクラスに設けることもできる。ネットワークプロバイダは個々の移動局に対し、１つまたは２つのユーザクラス３５，４０へのその所属性に依存して、ＲＡＣＨへのアクセスをイネーブルすることができる。言い替えると、第１のユーザクラス３５の両方の移動局５，１０にはＲＡＣＨ上での送信に対して同じ権限が割り当てられる。同じように、第２のユーザクラス４０の移動局１５，２０に対してもＲＡＣＨ上での送信に対し同じ権限を割り当てることができる。
【００２１】
ネットワークプロバイダは個々の移動局５，１０，１５，２０に情報信号により、どの権限がＲＡＣＨ上での送信に対して相応の移動局５，１０，１５，２０に割り当てられているかを通知する。この情報信号は、基地局１００からそれぞれの移動局５，１０，１５，２０に伝送される。全ての移動局５，１０，１５，２０に対する代表として、以下、第１の移動局５について、ＲＡＣＨ上の送信に対する権限の割り当てを図１に従い説明する。
【００２２】
ここで基地局１００は所定の時間に情報信号を第１の移動局５に伝送する。ここで情報信号は図１ではシグナリングチャネル２５を介して伝送される。シグナリングチャネルは、以下の例ではブロードキャストコントロールチャネルＢＣＣＨとして構成することができる。ここでは所定の時間での情報信号によりビットパターンが第１の移動局５に伝送される。このビットパターンは次のような情報を含むことができる。すなわち、どの目的でかつどの移動局に対して、ＲＡＣＨへのアクセスが許容されるかという情報を含むことができる。
【００２３】
可能なアクセス目的とは例えば、すでに上に述べた場合、すなわち比較的に小さなデータパケットの送信、比較的に大きなパケットデータに対するチャネル要求、および音声／データサービスに対するチャネル要求とすることができる。しかし別のアクセス目的として、シグナリング情報を移動局から基地局へ送信することでも良く、このシグナリング情報はすでに形成された接続の維持および／または変形に用いられる。
【００２４】
基地局から送信されたビットパターンは第１の移動局５に対してだけでなく、他の全ての移動局１０，１５，２０に対しても同様にシグナリングチャネル２５を介して送信されるから、全ての移動局には同じ情報が送信され、同じ時点で同じ情報を得ることとなる。そして全ての移動局にはこれらの割り当てられたＲＡＣＨアクセス権限が通知される。そのためにビットパターンは割り当てられたアクセス権限を各ユーザクラス３５，４０ごとに含む。前記シグナリングチャネルはすでに述べたようにＢＣＣＨとして、およびひいてはポイント・ツー・マルチポイント・チャネルとして構成することができる。
【００２５】
ＲＡＣＨ３０へのアクセス権限を移動局５，１０，１５，２０の一部を介して付加的に分散されることは、ＢＣＣＨ２５上でアクセス閾値Ｓを送信することにより達成される。図２には例として、第１の移動局５のブロック回路図が示されている。ここで第１の移動局５は、送受信アンテナ７０を備える送受信ユニット６５を有する。送受信ユニット６５はさらに評価ユニット６０に接続されており、評価ユニットはアクセス権限カード７５，例えばＳＩＭカード（移動局ＩＤモジュール）にアクセスする。図２には、第１の移動局５のうち、本発明の説明に必要な素子だけが示されている。本発明の方法を以下、例として第１の移動局５に基づいて説明する。ここで第２の移動局１０，第３の移動局１５，および第４の移動局２０も図２で説明するのと同様の構造を有している。第１の移動局５はその送受信ユニット６５によって、ＢＣＣＨ２５を介して伝送された情報信号を受信する。この情報信号はアクセス閾値Ｓを含んでいる。アクセス閾値Ｓは評価ユニット６０に供給される。評価ユニット６０は、第１の移動局５のＲＡＣＨ３０へのアクセスの前にランダム数または擬似ランダム数Ｒを引き算し、このランダム数または擬似ランダム数がアクセス閾値Ｓと少くとも同じ大きさであるか否かを検査する。その場合だけ、ＲＡＣＨ３０へのアクセスが許容される。ここでは例えば、アクセス閾値Ｓはインターバル｛０，１...ｎ＋１｝からなり、ランダム数または擬似ランダム数Ｒはインターバル｛０，１...ｎ｝からなることが当てはまる。このことによりＲＡＣＨ３０の使用をアクセス閾値Ｓ＝ｎ＋１により、全ての移動局５，１０，１５，２０に対して制限することができる。すなわちＲＡＣＨ３０へのアクセスが阻止される。ランダム数または擬似ランダム数Ｒが同じように分布されたランダム関数により相応のインターバル｛０，１...ｎ｝から引き算されれば、ＲＡＣＨ３０へのアクセスの確率は全ての移動局５，１０，１５，２０に対して等しい。
【００２６】
以下、図３ａと図３ｂに基づいて、参考例について、アクセスを遠隔通信チャネルに割り当てるための第１及び第２のビットパターンを説明する。アクセス権限データ４５，５０，５５は、ビットパターンとして構成されている。ここでアクセス権限データ４５，５０，５５は情報信号と共に移動局５，１０，１５，２０に伝送される。アクセス権限データ４５，５０，５５はＲＡＣＨ３０の使用に対する権限についての情報を含んでいる。各移動局５，１０，１５，２０に情報信号が伝送され、この情報信号はそれぞれ１０ビットからなるビットパターンを含んでいる。ここで第１のビットは評価ビットＳ４である。図３ａは、評価ビットＳ４＝０である場合を示している。第２のビットは第１のアクセス閾値ビットＳ３であり、第３ビットは第２のアクセス閾値ビットＳ２であり、第４ビットは第３のアクセス閾値ビットＳ１であり、第５ビットは第４のアクセス閾値ビットＳ０である。４つのアクセス閾値ビットＳ３，Ｓ２，Ｓ１，Ｓ０により、この参考例では２４＝１６のアクセス閾値Ｓがネットワークプロバイダから移動局５，１０，１５，２０に伝送される。ここではＢＣＣＨ２５を介して全ての移動局５，１０，１５，２０に同じアクセス閾値Ｓが伝送される。遠隔通信網における瞬時の通信トラフィックの発生に応じて、アクセス閾値Ｓは比較的に大きくまたは小さく調整することができる。すなわち可変に適合される。アクセス閾値Ｓに１６の可能性がある場合には、最大で１６のアクセスクラスを移動局５，１０，１５，２０に対して割り当てることができる。ここで移動局５，１０，１５，２０の、１６のアクセスクラスの１つへの帰属性は、移動局５，１０，１５，２０のそれぞれの評価ユニットにおける１６のランダム数または擬似ランダム数Ｒの１つの引き算に依存し、従って各新たな引き算過程の際に変更することができる。第１のピットパターン４５にある第６ビットは第１の遠隔通信サービスビットＤ２，第７ビットは第２の遠隔通信サービスビットＤ１，第８ビットは第３の遠隔通信サービスビットＤ０である。第１の遠隔通信サービスビットＤ２は第１の遠隔通信サービスを使用できるか否かを指示し、第２の遠隔通信サービスビットＤ１は第２の遠隔通信サービスを使用できるか否かを指示し、第３の遠隔通信サービスビットＤ０は第３の遠隔通信サービスを使用できるか否かを指示する。遠隔通信サービスは所属の遠隔通信サービスビットがセットされている場合に使用可であると取り決めることができる。
【００２７】
移動局５，１０，１５，２０は付加的にいわゆる優先クラス８０，８５に区分することができる。図１によれば、第４の移動局２０が第１の優先クラス８０に区分される。第１の移動局５と第３の移動局１５は図１では第２の優先クラス８５に区分されている。第２の移動局１０は図１では優先クラスに区分されていない。第１のビットパターン４５の第９ビットは第１の優先ビットＰ１であり、第１のビットパターン４５の第１０ビットは第２の優先ビットＰ０である。従って第１のビットパターン４５を介して４つの異なる値を有する優先閾値Ｐを移動局５，１０，１５，２０に伝送することができる。従ってそれぞれ異なる優先度を有する、最大で４つの優先クラスを優先閾値Ｐにより区別することができる。図１では２つだけ、図３ａには最大可能な４つの優先クラスが示されている。従って例えば第１の優先クラス８０は非常サービス、例えば警察または消防に対する優先クラスであり、最高の優先値４により示されている。第２の優先クラス８５は例えば都市のエネルギー供給に対する優先クラスであり、やや低い優先値３により示されている。移動局５，１０，１５，２０が優先クラスに所属する場合、所属の優先値がアクセス権限カード７５にファイルされ、そこで評価ユニット６０により検出することができる。ランダム数または擬似ランダム数Ｒを比較的に大きなまたは同じ大きさのアクセス閾値Ｓから引き算する移動局５，１０，１５，２０により、その優先値が優先閾値Ｐより大きいかまたは等しいアクセスだけがＲＡＣＨ３０への権限を得る。優先クラスに割り当てられていない第２の移動局１０の場合は、その評価ユニットはランダム優先値または擬似ランダム優先値を４つの可能な優先値から引き算し、引き算した優先値を伝送された優先閾値Ｐと比較することができる。そして引き算されたランダム優先値または擬似ランダム優先値が優先閾値Ｐより大きいかまたは等しい場合にＲＡＣＨ３０に対するアクセス権限を受け取る。ここでは、第２の移動局１０の評価ユニットにより引き算されたランダム数または擬似ランダム数Ｒがアクセス閾値Ｓより大きいか、または等しいことが前提である。しかし優先クラスに所属しない移動局が優先閾値Ｐとの比較を実行せずに、ＲＡＣＨ３０へのアクセスを許可するために単に、アクセス閾値Ｓより大きいか、または等しいランダム数または擬似ランダム数Ｒを引き算することも可能である。この場合、挿入されたアクセス権限カード７５に優先値がファイルされていなければ、移動局は優先クラスに割り当てられない。
【００２８】
評価ユニットのメモリに所定の優先値を記憶しておくこともできる。この優先値は４つの可能な優先値に相応する。評価ユニット６０がアクセス権限カード７５上で優先値を検出しない場合に対しては、評価ユニットは所定の優先値を優先閾値Ｐとの比較のために前記のように使用することができる。
【００２９】
図３ｂには、同じように１０ビットのビット長を有する第２のビットパターン５０が示されている。ここで第２のビットパターン５０の構造は第１のビットパターン４５の構造に相応するが、次の例外がある。すなわち、評価ビットＳ４が１にセットされ、従って第２のビットパターン５０の第２ビット、第３ビット、第４ビットおよび第５ビットは閾値ビットとしてではなく、アクセスクラスビットとして定義されるのである。従い第２のビットパターン５０の第２ビットは第１のアクセスクラスビットＺ３、第２ビットパターン５０の第３ビットは第２のアクセスクラスビットＺ２、第２のビットパターン５０の第４ビットは第３のアクセスクラスビットＺ１、そして第２のビットパターン５０の第５ビットは第４のアクセスクラスビットＺ０である。第１のアクセスクラスビットＺ３は第１のユーザクラス３５に対するものであり、第３のアクセスクラスビットＺ１は第３の、図１には示されていないユーザクラスに対するものであり、第４のアクセスクラスビットＺ０は図１に同様に図示されていない第４のユーザクラスに対するものである。アクセスクラスビットはその全体において、アクセスクラス情報とも称される。
【００３０】
図１では、全ての移動局５，１０，１５，２０が第１のユーザクラス３５または第２のユーザクラス４０に配属されている。さらに図１に図示されない移動局も同様に第１のユーザクラス３５または第２のユーザクラス４０に配属することができる。しかしこれらは第３のユーザクラス、または第４のユーザクラスに配属することも、ユーザクラスに配属しないこともできる。第２のビットパターン５０のアクセスクラスビットが値０を有していれば、すなわちセットされていなければ、所属のユーザクラスの移動局は全てＲＡＣＨ３０にアクセスすることができる。第２のビットパターン５０のアクセスクラスビットが１にセットされていれば、所属の移動局はＲＡＣＨ３０にアクセスすることができない。
【００３１】
ＲＡＣＨ３０にアクセスすることを許可された全ての移動局は、所属の遠隔通信サービスビットが第１のビットパターンないしは第２のビットパターンでセットされている遠隔通信サービスを使用することができる。
【００３２】
評価ユニットのメモリに所定の優先値を記憶し、この優先値は４つの可能な優先値に相応するように構成することもできる。評価ユニット６０がアクセス権限カード７５上で優先値を検出しない場合に対しては、評価ユニットは所定の優先値を優先閾値Ｐとの比較にために記述のように使用することができる。
【００３３】
相応の移動局の評価ユニットはユーザクラスへの帰属性を同様にアクセス権限カード７５から取り出す。そこにユーザクラスが記憶されていなければ、相応の移動局の評価ユニットはこれがユーザクラスには所属しないことを識別する。
【００３４】
評価ビットＳ４が１にセットされていれば、ユーザクラスに所属しない移動局のＲＡＣＨ３０へのアクセスは不可能である。
【００３５】
以下、情報信号と共に伝送された、１０ビットのビット長のビットパターンの例について説明する。この参考例ではビットシーケンス「０  １０００  ０１１  ０１」が移動局５，１０，１５，２０に基地局１００からＢＣＣＨ２５を介して送信される。これに意味するものは、１つのユーザクラスに配属された移動局が、ユーザクラスに配属されていない移動局のように取り扱われることである。なぜなら、評価ビットＳ４がセットされていないからである。アクセス閾値ビットＳ３，Ｓ２，Ｓ１，Ｓ０により、アクセス閾値Ｓは２進符号化され、優先ビットＰ１．Ｐ０により優先閾値Ｐは２進符号化される。従ってアクセス閾値Ｓに対しては８の値が得られ、優先閾値Ｐに対しては１の値が得られる。移動局がＰとＳの評価の後にアクセス権限付与されれば、この移動局はＲＡＣＨを、比較的に大きなパケットデータサービスと音声／データサービスに対するチャネル要求のためにだけ使用することができる。サービス情報に対する上記の調整に基づいて、このような移動局には、ＲＡＣＨを比較的に小さなデータパケットの送信のために使用することは許可されない。
【００３６】
第１のビットパターン４５ないしは第２のビットパターン５０の第２，第３，第４および第５ビットはアクセス権限情報である。この情報は、第１のビットパターン４５ではアクセス閾値Ｓを、第２のビットパターン５０では第４のユーザクラスに対するアクセス権限を指示する。ここで第１ビットは、第２から第５ビットが第１のビットパターンに従って、または第２のビットパターン５０に従って解釈されるかを定める。
【００３７】
図３ｃの本発明の実施例では、情報信号を有する第３のビットパターン５５が基地局１００から移動局５，１０，１５，２０に伝送され、ビット長は１３ビットである。第３のビットパターン５５は評価ビットＳ４を有しておらず、従ってアクセス閾値ビットＳ３，Ｓ２，Ｓ１，Ｓ０と、アクセスクラスビットＺ３，Ｚ２，Ｚ１，Ｚ０を含んでいる。付加的に第３のビットパターン５５は、第１のビットパターン４５および第２のビットパターン５０と同じように、遠隔通信サービスビットＤ２，Ｄ１，Ｄ０と、優先ビットＰ１，Ｐ０を含む。所属のアクセスクラスビット＝０であるユーザクラスに所属する移動局は、アクセス閾値Ｓと優先閾値Ｐに依存せずに、従って場合により評価ユニット６０でのその評価なしでＲＡＣＨ３０にアクセスすることができる。所属のアクセスクラスビットが１にセットされたユーザクラスに所属する移動局、並びにユーザクラスに所属しない移動局は、ＲＡＣＨ３０へのそのアクセス権限を検出するため、すでに参考例で説明したアクセス閾値評価、場合により付加的に参考例で説明した優先閾値評価を実行しなければならない。例として以下のビットシーケンスの場合を考えてみる：「１０００  ０１１０  ０１１  ０１」。これの意味するものは、アクセス閾値Ｓ＝８が選択され、第１のユーザクラス３５の移動局、および図１には図示されていない第４のユーザクラスの移動局は、アクセス閾値Ｓおよび場合により優先閾値Ｐの評価に依存しないでＲＡＣＨ３０へのアクセスが許容され、第２のユーザクラス４０および図１に図示しない第３のユーザクラスの移動局は、アクセス閾値Ｓおよび場合により優先閾値の評価なしでＲＡＣＨ３０へのアクセスが許容されないということである。優先閾値Ｐに対しては１の値が得られる。アクセス権限付与された移動局はＲＡＣＨを比較的に小さなデータパケットの送信に使用することは許容されないが、しかしＲＡＣＨ上で比較的に大きなパケットデータサービスおよび音声／データサービスに対するチャネル要求を送信することは許容される。参考例とは異なり本発明の実施例では、１つのユーザクラスへのその帰属性に基づきＲＡＣＨ３０へのアクセスが許容された移動局の他に、ランダム数または擬似ランダム数Ｒを引き算してアクセス閾値より大きか等しい移動局、および場合により優先閾値Ｐより上の優先値を有する移動局もＲＡＣＨ３０にアクセスすることが許容される。
【００３８】
第１のビットパターンおよび第２のビットパターンと比較して、第３のビットパターンではアクセス権限情報が、アクセス閾値ビットＳ３，Ｓ２，Ｓ１，Ｓ０とアクセスクラスビットＺ３，Ｚ２，Ｚ１，Ｚ０を含んでいる。
【００３９】
第１，第２および第３のビットパターン４５，５０，５５で使用される、アクセス閾値Ｓ、アクセスクラス情報Ｚ０，Ｚ１，Ｚ２，Ｚ３、優先閾値Ｐおよび移動局サービス情報Ｄ０，Ｄ１，Ｄ２に対するビットの数は単なる例であると理解されたい。例えば大容量のシグナリングのためには増大することができ、バンド幅低減のためには減少することができる。この場合、場合によってはビットパターン４５，５０，５５の長さ全体も変化される。場合により情報要素の個々または全体を省略することができる。
【００４０】
図４ａ，４ｂ，４ｃには、評価ユニット６０の機能に対するフローチャートが示されている。プログラム点２００で評価ユニット６０は、ＢＣＣＨ２５を介して受信した情報信号が１０ビットのビット長のビットパターンを含んでいるか否かを検査する。含んでいる場合には、プログラム点２０５へ分岐し、それ以外の場合はプログラム点２８０へ分岐する。プログラム点２０５で評価ユニット６０は、評価ビットＳ４＝０であるか否かを検査する。０であれば、プログラム点２１０へ分岐し、それ以外の場合はプログラム点２３０へ分岐する。プログラム点２１０で評価ユニット６０はアクセス閾値ビットＳ３，Ｓ２，Ｓ１，Ｓ０からアクセス閾値Ｓを検出し、ランダム数または擬似ランダム数Ｒを可能なアクセス閾値Ｓの集合から引き算する。ここでは最大可能アクセス閾値Ｓをランダム数または擬似ランダム数Ｒの引き算に対して除外することができる。続いてプログラム点２１５へ分岐する。プログラム点２１５で評価ユニット６０は、ランダム数または擬似ランダム数Ｒがアクセス閾値Ｓより大きいかまたは等しいかを検査する。大きいかまたは等しければ、プログラム点２２０へ分岐する。それ以外の場合はこのプログラムを去る。プログラム点２２０で評価ユニット６０は、アクセス権限カード７５に所属の優先クラスの優先値が記憶されているか否かを検査する。記憶されていれば、プログラム点２２５へ分岐し、それ以外の場合はプログラム点２９０へ分岐する。プログラム点２９０で評価ユニット６０は、それに配属されたメモリに所定の優先値がファイルされているか否かを検査する。ファイルされていれば、プログラム点２２５へ分岐し、それ以外の場合はプログラム点２４５へ分岐する。プログラム点２２５で評価ユニット６０は、受信したビットパターンから優先閾値Ｐを検出する。続いてプログラム点２４０へ分岐する。プログラム点２４０で評価ユニット６０は、優先値が優先閾値Ｐより大きいかまたは等しいか否かを検査する。大きいかまたは等しければ、プログラム点２４５へ分岐し、それ以外の場合はこのプログラムを去る。プログラム点２４５で評価ユニット６０はビットパターンから遠隔通信サービスビットに基づいて、使用可能な遠隔通信サービスを検出する。続いてプログラム点２５０へ分岐する。プログラム点２５０で評価ユニット６０は、所属の移動局がＲＡＣＨ３０へアクセスし、使用可能な遠隔通信サービスを使用することをイネーブルする。続いてプログラムを去る。プログラム点２３０で評価ユニット６０は、アクセス権限カード７５にユーザクラスへの帰属性を記憶されているか否かを検査する。記憶されている場合には、プログラム点２３５へ分岐し、それ以外の場合はプログラムを去る。プログラム点２３５で評価ユニット６０はアクセスクラスビッットに基づいて、アクセス権限カード７５に基づき検出された、移動局のユーザクラスがＲＡＣＨ３０へのアクセスに対して許容されるか否かを検査する。許容される場合にはプログラム点２４５へ分岐し、それ以外の場合はこのプログラムを去る。プログラム点２８０で評価ユニット６０は、１３ビットのビット長のビットパターンが受信されたことを識別し、アクセス権限カード７５にユーザクラスへの所属の移動局の帰属性が記憶されているか否かを検査する。さらにプログラム点２８０で、ユーザクラスが第１のユーザクラス群に所属するか、または第２のユーザクラス群に所属するかが検査される。第１のユーザクラス群を以下、通常特権付与されるとも称する。第２のユーザクラス群を以下、優先されるとも称する。プログラム点２８０で、アクセス権限カード７５に所属の移動局の帰属性が優先されるユーザクラスへのものであることが識別されると、プログラムはプログラム点２８５へ分岐する。それ以外の場合、すなわちアクセス権限カード７５でユーザクラスへの移動局の帰属性が識別されないか、または通常特権付与されたユーザクラスが識別されると、プログラム点２１０へ分岐する。プログラム点２８５で評価ユニット６０は、受信されたビットパターンのアクセスクラスビットＺ３，Ｚ２，Ｚ１，Ｚ０に基づき、移動局に対して検出されたユーザクラスがＲＡＣＨ３０へのアクセスに対して権限付与されているか否かを検査する。権限付与されている場合には、プログラム点２４５へ分岐し、それ以外の場合はプログラム点２１０へ分岐する。
【００４１】
プログラムがプログラム点２５０から去らない全ての場合で、評価ユニット６０により所属の移動局に対するＲＡＣＨ３０へのアクセス許可は検出されない。プログラムの終了後、移動局はユーザに、ＲＡＣＨ３０へのアクセスが不可能であったことを通知し、ユーザのさらなる入力を待機する。これとは択一的に、移動局にて実現された待機ループによりプログラムを新たに実行することもできる。これにより後続のビットパターンを有する後続の情報信号が待機され、ＲＡＣＨ３０へのアクセス権限を検出するために評価される。
【００４２】
情報信号は基地局１００から移動局５，１０，１５，２０へ所定の時間で、有利な規則的間隔で伝送される。ネットワークプロバイダはＲＡＣＨへのアクセスを、遠隔通信網における通信トラフィック発生に依存して、ひいてはＲＡＣＨ３０の予期される負荷に依存して、個々の移動局５，１０，１５，２０に対して前述の方法に従い許容または阻止することができる。遠隔通信網での通信トラフィック発生は時間と共に変化するから、ＲＡＣＨ３０の予期される負荷も時間と共に変化する。従ってＲＡＣＨへのアクセスは通常、種々異なる時間で相応に変化されたビットパターン割り当てを用い、種々の移動局５，１０，１５，２０に割り当てられる。
【００４３】
ＲＡＣＨ３０の負荷軽減は付加的に、繰り返しカウンタおよび／または繰り返し間隔を設けることにより達成される。繰り返しカウンタは、他の移動局の通信と衝突する場合に対して、通信を相応の移動局からＲＡＣＨ３０を介して基地局１００に繰り返し送信するのに許容される繰り返し試行の最大数を指示する。繰り返し間隔は、それぞれの移動局が基地局１００へＲＡＣＨ３０を介して通信を次に繰り返し送信するまでの時間的間隔に対する確率的尺度である。許容される繰り返し試行の数が少なく、繰り返し間隔が大きければ大きいほど、ＲＡＣＨ３０の負荷は大きく軽減される。繰り返しカウンタおよび／または繰り返し間隔は、割り当てられたアクセス権限のビットパターンと共に相応の移動局に、場合により別の無線セル固有情報と共に所属のシグナリングチャネル２５上で通知することができる。本発明の方法は移動無線網において、ＵＭＴＳ規格（Universal Mobile Telecommunication System）、ＧＳＭ規格等に従い実現することができる。
【００４４】
本発明の方法では、遠隔通信チャネルは遠隔通信サービスを要求するため、および／またはデータパケットを複数の移動局から送信するために使用される。
【００４５】
別の実施形態では、アクセス権限に対してランダム数または擬似ランダム数Ｒがアクセス閾値Ｓより小さいことが前提とされる。相応して、優先閾値Ｐによる優先度検査に対しては、ランダム数または擬似ランダム数Ｒが優先閾値Ｐより小さいことが前提とされる。
【符号の説明】
【００４６】
５，１０，１５，２０  移動局
２５  ブロードキャストコントロールチャネル
３０  ランダムアクセスチャネル
３５，４０  ユーザクラス
６０  評価ユニット
７０  送受信ユニット
７５  ＳＩＭカード
８０，８５  優先クラス
１００  基地局
Ｓ０，Ｓ１，Ｓ２，Ｓ３  アクセス閾値ビット
Ｚ０，Ｚ１，Ｚ２，Ｚ３  アクセスクラス情報
【図１】
2010273347.tif 000003
【図２】
2010273347.tif 000004
【図３ａ】
2010273347.tif 000005
【図３ｂ】
2010273347.tif 000006
【図３ｃ】
2010273347.tif 000007
【図４ａ】
2010273347.tif 000008
【図４ｂ】
2010273347.tif 000009
【図４ｃ】
2010273347.tif 000010